(57)【特許請求の範囲】
【請求項１】
被記録媒体に記録された画像情報を読取る読取手段と、
この読取手段によって読取られた画像情報を送信する送信手段と、が備えられた通信装置において、
前記読取手段によって前記画像情報を読取る際の読取濃度の設定、および装置の有する他の機能の設定を兼用して行う設定手段と、
前記送信手段が前記画像情報を送信するための通信回線を閉結する通信回線閉結手段とが備えられており、
前記設定手段には、
前記通信回線閉結手段によって前記通信回線が閉結されているか否かを判定する回線判定手段と、
この回線判定手段による判定結果が、前記通信回線閉結手段によって前記通信回線が閉結されているという判定結果である場合は、前記他の機能を設定する状態に移行する第１の移行手段と、
が備えられたことを特徴とする通信装置。
【請求項２】
前記読取濃度の設定内容の表示、および前記他の機能の設定内容の表示を兼用して行う表示手段が備えられたことを特徴とする請求項１に記載の通信装置。
【請求項３】
前記設定手段は、
前記読取濃度の設定内容の表示、および前記他の機能の設定内容の表示を兼用して行い、かつ、その表示部分が、前記読取濃度の設定および前記他の機能の設定内容の変更を兼用して行うように構成されたことを特徴とする請求項１に記載の通信装置。
【請求項４】
前記通信回線を介して所定の相手から発呼があった場合に呼出音を再生する呼出音再生手段と、
前記所定の相手と通話を行う受話器と、
前記受話器がオンフックされており、かつ、前記通信回線閉結手段によって前記通信回線が閉結されている状態で前記所定の相手と通話を行う場合に、前記所定の相手の音声を再生する音声再生手段とが備えられており、
前記設定手段により設定される他の機能は、
前記呼出音再生手段によって再生される呼出音の音量を調節する呼出音量調節機能、前記受話器の受話音量を調節する受話音量調節機能および前記スピーカにより出力される音声の音量を調節するスピーカ音量調節機能のうちの少なくとも１つの機能であることを特徴とする請求項１ないし請求項３のいずれか１つに記載の通信装置。
【請求項５】
前記設定手段には、
前記回線判定手段による判定結果が、前記通信回線閉結手段によって前記通信回線が閉結されていないという判定結果である場合に、前記被記録媒体が前記読取手段によって読取可能な位置にあるか否かを検出する被記録媒体検出手段と、
この被記録媒体検出手段によって前記被記録媒体が検出された場合は、前記読取濃度を設定可能な状態に移行する第２の移行手段と、
前記被記録媒体検出手段によって前記被記録媒体が検出されなかった場合は、前記呼出音量調節機能の設定内容を変更可能な状態に移行する第３の移行手段と、が備えられたことを特徴とする請求項４に記載の通信装置。
【請求項６】
前記設定手段には、
前記回線判定手段による判定結果が、前記通信回線閉結手段によって前記通信回線が閉結されているという判定結果である場合に、前記受話器をオンフックした状態になっているか否かを判定するオンフック判定手段と、
このオンフック判定手段による判定結果が、前記受話器をオンフックした状態になっているという判定結果である場合は、前記スピーカ音量調節機能の設定内容を変更可能な状態に移行する第４の移行手段と、
前記オンフック判定手段による判定結果が、前記受話器をオンフックした状態になっていないという判定結果である場合は、前記受話音量調節機能の設定内容を変更可能な状態に移行する第５の移行手段と、が備えられたことを特徴とする請求項４または請求項５に記載の通信装置。
【請求項７】
被記録媒体に記録された画像情報を読取る読取手段と、
この読取手段によって読取られた画像情報を通信回線を介して送信する送信手段と、
前記通信回線を閉結する通信回線閉結手段と、が備えられた通信装置を制御するためのコンピュータプログラムが格納された記憶媒体において、
前記読取手段によって前記画像情報を読取る際の読取濃度の設定、および装置の有する他の機能の設定を兼用して行うように制御し、前記通信回線閉結手段によって前記通信回線が閉結されているか否かを判定し、その判定結果が、前記通信回線閉結手段によって前記通信回線が閉結されているという判定結果である場合は、前記他の機能を設定する状態に移行するための制御プログラムを含むコンピュータプログラムが格納されたことを特徴とする記憶媒体。
【発明の詳細な説明】
【０００１】
【発明の属する技術分野】
本発明は、ファクシミリ装置に代表される通信装置、およびその通信装置を制御するためのコンピュータプログラムが格納された記憶媒体であって、装置の操作性を向上させることができる通信装置および記憶媒体に関する。
【０００２】
【従来の技術】
従来、上記通信装置としては、たとえば、図１０に示す操作パネルを備えたものが知られている。
操作パネル９０には、ファンクション切替ボタン９１と、受話音量を設定するための１組のボタンからなる受話音量設定ボタン９２と、呼出音量を設定するための１組のボタンからなる呼出音量設定ボタン９３と、ハンドセット通話時のスピーカ音量を設定するための１組のボタンからなるスピーカ音量設定ボタン９４と、設定内容を表示する液晶ディスプレイ９５とが設けられている。
そして、ファクシミリ装置の使用者は、ファンクション切替ボタン９１を押して設定したいファンクションを選択し、液晶ディスプレイ９５に表示されるカーソルを見て設定状態を確認しながら所定の設定ボタンを操作して設定を行う。
【０００３】
【発明が解決しようとする課題】
しかし、上記従来のファクシミリ装置は、図１０に示すように、送信濃度を設定するためのボタンが設けられていないため、送信濃度を設定する場合は、ファンクション切替ボタン９１を何回か押して、液晶ディスプレイ９５の画面を送信濃度を設定するための画面に切替え、受話音量設定ボタン９２、呼出音量設定ボタン９３およびスピーカ音量設定ボタン９４のうちのいずれかの設定ボタンを操作して濃度の設定を行っている。
つまり、送信濃度を設定するために多くのボタン操作を必要とするため、操作性が悪いという問題がある。しかも、送信濃度を設定するためのボタンが操作パネル上に設けられていないため、送信濃度を設定できることに気付かない場合がある。
また、受話音量設定ボタン９２、呼出音量設定ボタン９３およびスピーカ音量設定ボタン９４がそれぞれ独立しており、多くのボタンを必要とするため、製造コストが高くなるという問題もある。
【０００４】
そこで、本発明は、装置の機能の設定を行う場合の操作性を向上させるとともに、製造コストを低減できる通信装置および記憶媒体を実現することを目的とする。
【０００５】
【課題を解決するための手段】
本発明は、上記目的を達成するため、請求項１に記載の発明では、被記録媒体に記録された画像情報を読取る読取手段と、この読取手段によって読取られた画像情報を送信する送信手段と、が備えられた通信装置において、前記読取手段によって前記画像情報を読取る際の読取濃度の設定、および装置の有する他の機能の設定を兼用して行う設定手段と、 前記送信手段が前記画像情報を送信するための通信回線を閉結する通信回線閉結手段とが備えられており、前記設定手段には、前記通信回線閉結手段によって前記通信回線が閉結されているか否かを判定する回線判定手段と、この回線判定手段による判定結果が、前記通信回線閉結手段によって前記通信回線が閉結されているという判定結果である場合は、前記他の機能を設定する状態に移行する第１の移行手段と、が備えられたという技術的手段を採用する。
【０００６】
請求項２に記載の発明では、請求項１に記載の通信装置において、前記読取濃度の設定内容の表示、および前記他の機能の設定内容の表示を兼用して行う表示手段が備えられたという技術的手段を採用する。
【０００７】
請求項３に記載の発明では、請求項１に記載の通信装置において、前記設定手段は、前記読取濃度の設定内容の表示、および前記他の機能の設定内容の表示を兼用して行い、かつ、その表示部分が、前記読取濃度の設定および前記他の機能の設定内容の変更を兼用して行うように構成されたという技術的手段を採用する。
【０００８】
【０００９】
請求項４に記載の発明では、請求項１ないし請求項３のいずれか１つに記載の通信装置において、前記通信回線を介して所定の相手から発呼があった場合に呼出音を再生する呼出音再生手段と、前記所定の相手と通話を行う受話器と、前記受話器がオンフックされており、かつ、前記通信回線閉結手段によって前記通信回線が閉結されている状態で前記所定の相手と通話を行う場合に、前記所定の相手の音声を再生する音声再生手段とが備えられており、前記設定手段により設定される他の機能は、前記呼出音再生手段によって再生される呼出音の音量を調節する呼出音量調節機能、前記受話器の受話音量を調節する受話音量調節機能および前記スピーカにより出力される音声の音量を調節するスピーカ音量調節機能のうちの少なくとも１つの機能であるという技術的手段を採用する。
【００１０】
請求項５に記載の発明では、請求項４に記載の通信装置において、前記設定手段には、前記回線判定手段による判定結果が、前記通信回線閉結手段によって前記通信回線が閉結されていないという判定結果である場合に、前記被記録媒体が前記読取手段によって読取可能な位置にあるか否かを検出する被記録媒体検出手段と、この被記録媒体検出手段によって前記被記録媒体が検出された場合は、前記読取濃度を設定可能な状態に移行する第２の移行手段と、前記被記録媒体検出手段によって前記被記録媒体が検出されなかった場合は、前記呼出音量調節機能の設定内容を変更可能な状態に移行する第３の移行手段と、が備えられたという技術的手段を採用する。
【００１１】
請求項６に記載の発明では、請求項４または請求項５に記載の通信装置において、前記設定手段には、前記回線判定手段による判定結果が、前記通信回線閉結手段によって前記通信回線が閉結されているという判定結果である場合に、前記受話器をオンフックした状態になっているか否かを判定するオンフック判定手段と、このオンフック判定手段による判定結果が、前記受話器をオンフックした状態になっているという判定結果である場合は、前記スピーカ音量調節機能の設定内容を変更可能な状態に移行する第４の移行手段と、前記オンフック判定手段による判定結果が、前記受話器をオンフックした状態になっていないという判定結果である場合は、前記受話音量調節機能の設定内容を変更可能な状態に移行する第５の移行手段と、が備えられたという技術的手段を採用する。
【００１２】
請求項７に記載の発明では、被記録媒体に記録された画像情報を読取る読取手段と、この読取手段によって読取られた画像情報を通信回線を介して送信する送信手段と、前記通信回線を閉結する通信回線閉結手段と、が備えられた通信装置を制御するためのコンピュータプログラムが格納された記憶媒体において、前記読取手段によって前記画像情報を読取る際の読取濃度の設定、および装置の有する他の機能の設定を兼用して行うように制御し、前記通信回線閉結手段によって前記通信回線が閉結されているか否かを判定し、その判定結果が、前記通信回線閉結手段によって前記通信回線が閉結されているという判定結果である場合は、前記他の機能を設定する状態に移行するための制御プログラムを含むコンピュータプログラムが格納されたという技術的手段を採用する。
【００１３】
【作用】
請求項１ないし請求項６に記載の発明では、上記設定手段は、被記録媒体に記録された画像情報を読取る読取手段によって画像情報を読取る際の読取濃度の設定、および装置の有する他の機能の設定を兼用して行う。
つまり、画像情報を送信する場合に行う読取濃度（送信濃度）の設定と、他の機能の設定を兼用して行うことができる。
したがって、読取濃度（送信濃度）の設定と、他の機能の設定とが兼用になった分、読取濃度の設定のための操作と上記他の機能の設定のための操作を特に区別して覚える必要がなくなるため、操作性を向上させることができる。しかも、兼用になっている分、ボタン類を減少させることができるため、製造コストを低減することができる。
さらに、上記設定手段備えられた回線判定手段は、上記送信手段が画像情報を送信するための通信回線を閉結する通信回線閉結手段によって通信回線が閉結されているか否かを判定し、第１の移行手段は、上記回線判定手段による判定結果が、通信回線閉結手段によって通信回線が閉結されているという判定結果である場合は、他の機能を設定する状態に移行する。
つまり、通信回線が閉結する場合としては、画像情報の通信を行っている場合と、通話を行っている場合とがあるが、読取濃度は、画像情報の読取を行う前、つまり、送信を行う前に設定する必要があることから、通信回線が閉結された後に読取濃度の設定を行う状態にあっても意味がない。
そこで、通信回線が閉結している場合は、すでに通信を開始している場合であることから、読取濃度以外の他の機能、たとえば、受話音量の設定を行う状態に移行することにより、通話者の便宜を図ることができる。
【００１４】
特に、請求項２に記載の発明では、上記表示手段は、読取濃度の設定内容の表示、および上記他の機能の設定内容の表示を兼用して行う。
したがって、読取濃度（送信濃度）の設定と、他の機能の設定とが兼用になった分、読取濃度の設定のための表示から上記他の機能の設定のための表示に切替える手間を省くことができる。しかも、兼用になっている分、ボタン類を減少させることができるため、製造コストを低減することができる。
【００１５】
また、請求項３に記載の発明では、上記設定手段は、読取濃度の設定内容の表示、および上記他の機能の設定内容の表示を兼用して行い、かつ、その表示部分が、読取濃度の設定および他の機能の設定内容の変更を兼用して行うように構成されている。
つまり、上記各設定内容を表示する部分そのものが、たとえば、後述する発明の実施の形態に記載するように、液晶表示画面上のタッチスイッチになっているため、同じ表示部分を用いて読取濃度の設定および他の機能の設定を行うことができる。
したがって、装置の機能の設定を行う場合の操作性をより一層向上させることができる。しかも、兼用になっている分、ボタン類を減少させることができるため、製造コストを低減することができる。
【００１６】
【００１７】
特に、請求項４に記載の発明では、上記設定手段により設定される他の機能は、呼出音を再生する呼出音再生手段によって再生される呼出音の音量を調節する呼出音量調節機能、受話器の受話音量を調節する受話音量調節機能、および受話器がオンフックされており、かつ、通信回線閉結手段によって通信回線が閉結されている状態で所定の相手と通話を行う場合、つまり、受話器をオンフックした状態で所定の相手と通話を行う場合に、その所定の相手の音声を再生する音声再生手段により再生される音声の音量を調節するスピーカ音量調節機能のうちの少なくとも１つの機能である。
【００１８】
つまり、呼出音量調節機能、受話音量調節機能およびスピーカ音量調節機能のうちの少なくとも１つの機能が、読取濃度を設定する機能と兼用しているため、読取濃度を設定する場合の操作および表示を用いて上記他の機能を設定することができるため、各機能を設定する場合の手間を大きく省くことができる。
また、上記各機能のうち、特に受話音量調節機能およびスピーカ音量調節機能は、通話の際に設定できると便利な機能であるため、通信回線が閉結している場合、つまり通話をしている場合に、読取濃度を設定する機能から上記両機能の設定を行うことができる状態に自動的に移行させることにより、通話者が上記両機能を設定する状態を選択する手間を省くことができる。
【００１９】
また、請求項５に記載の発明では、上記設定手段に備えられた被記録媒体検出手段は、上記回線判定手段による判定結果が、上記通信回線閉結手段によって通信回線が閉結されていないという判定結果である場合に、被記録媒体が読取手段によって読取可能な位置にあるか否かを検出し、上記第２の移行手段は、上記被記録媒体検出手段によって被記録媒体が検出された場合は、読取濃度を設定可能な状態に移行し、上記第３の移行手段は、上記被記録媒体検出手段によって被記録媒体が検出されなかった場合は、上記呼出音量調節機能の設定内容を変更可能な状態に移行する。
【００２０】
つまり、被記録媒体が読取手段によって読取可能な位置にある場合、つまり、被記録媒体に記録された画像情報の送信を行おうとしている場合に、上記第２の移行手段によって、読取濃度を設定可能な状態に自動的に移行できるため、画像情報の送信を行おうとしている者は、機能の設定を切替える操作を行う手間なく、即座に読取濃度の設定を行うことができるため非常に便利である。
また、被記録媒体が読取手段によって読取可能な位置にない場合、つまり、通信を行っておらず、相手から通信のあるのを待機している状態にある場合は、上記第３の移行手段によって、呼出音量調節機能の設定内容を変更可能な状態に移行できるため、機能の設定を替える操作を行う手間なく、即座に呼出音量の設定を行うことができるため非常に便利となる。
【００２１】
さらに、請求項６に記載の発明では、上前記設定手段に備えられたオンフック判定手段は、上記回線判定手段による判定結果が、上記通信回線閉結手段によって通信回線が閉結されているという判定結果である場合に、受話器をオンフックした状態になっているか否かを判定し、上記第４の移行手段は、上記オンフック判定手段による判定結果が、受話器をオンフックした状態になっているという判定結果である場合は、スピーカ音量調節機能の設定内容を変更可能な状態に移行し、上記第５の移行手段は、上記オンフック判定手段による判定結果が、受話器をオンフックした状態になっていないという判定結果である場合は、上記受話音量調節機能の設定内容を変更可能な状態に移行する。
【００２２】
つまり、通信回線が閉結しており、かつ、受話器がオンフックした状態は、受話器をオンフックした状態の通話、いわゆるハンズフリーの状態での通話を行っている場合であることから、そのような状態にある場合は、上記第４の移行手段によって、スピーカ音量調節機能の設定内容を変更可能な状態に移行することができるため、通話者は、機能の設定を替える操作を行う手間なく、即座にスピーカの音量の設定を行うことができるため非常に便利である。
また、逆に、通信回線が閉結しており、かつ、受話器がオンフックしていない状態は、受話器を用いた通話状態であることから、そのような状態にある場合は、上記第５の移行手段によって、受話音量調節機能の設定内容を変更可能な状態に移行することができるため、通話者は、機能の設定を替える操作を行う手間なく、即座に受話音量の設定を行うことができるため非常に便利となる。
【００２３】
そして、請求項７に記載の発明のように、被記録媒体に記録された画像情報を読取る読取手段によって前記画像情報を読取る際の読取濃度の設定、および装置の有する他の機能の設定を兼用して行うように制御し、前記通信回線閉結手段によって前記通信回線が閉結されているか否かを判定し、その判定結果が、前記通信回線閉結手段によって前記通信回線が閉結されているという判定結果である場合は、前記他の機能を設定する状態に移行するための制御プログラムを含むコンピュータプログラムが格納された記憶媒体を用いることにより、上記請求項１に記載の通信装置を実現できる。
つまり、上記通信装置は、たとえば、後述する発明の実施の形態に記載するように、通信装置に内蔵されたＣＰＵ、あるいは、通信装置に接続されたコンピュータによって制御されることから、上記記憶媒体としてのＲＯＭを設け、もしくは、上記記憶媒体に格納されているコンピュータプログラムをコンピュータにインストールすることによって、請求項１に記載の発明を実施できるからである。
【００２４】
【発明の実施の形態】
以下、本発明の通信装置の一実施形態について図を参照して説明する。
図１は、本発明実施形態の通信装置の外観を示す斜視図である。
なお、以下の実施形態では、通信装置として、ファクシミリ、電話機、イメージスキャナおよびプリンタなどの多機能を備えたマルチファンクションタイプの通信装置を代表に説明する。
【００２５】
通信装置１には、箱形状のハウジング２が備えられており、このハウジング２の上面前部には操作パネル３が設けられている。操作パネル３には、相手の電話番号、ＦＡＸ番号、コピー枚数などを入力するための「０」〜「９」のテンキー３ａ、画像情報の送信開始やコピーを指示するためのスタートボタン３ｂ、画像情報の送信中止やコピー中止を指示するためのストップボタン３ｃ、短縮電話番号や短縮ＦＡＸ番号を呼出すための短縮ダイヤルボタン３ｄなどが設けられている。
【００２６】
操作パネル３の後部には、イメージスキャナ（図２に符号３７で示す）による原稿の読取濃度、つまり原稿の送信濃度の設定、相手の電話番号やＦＡＸ番号の表示、送信状態、受信状態およびコピー状態などの動作状態の表示などを行う、本発明の表示手段たる液晶表示部（ＬＣＤディスプレイ）７が設けられており、この液晶表示部７の後部には、送信原稿やコピー原稿をセットする原稿セット部５が設けられている。この原稿セット部５にセットされた原稿は、ハウジング２の内部に設けられた紙送り機構（図示省略）によってハウジング２の内部へ搬送され、この搬送された原稿の記録部分は、イメージスキャナによって読み取られる。この読取られた原稿は、操作パネル３の下方に設けられた原稿排出口６を介してトレイ６ａ上に積層可能に排出される。
【００２７】
原稿セット部５の後部には、受信した画像情報や印刷データを記録するための記録用紙をセットする記録用紙セット部７が設けられている。この記録用紙セット部７には、複数枚の記録用紙を積層して収納可能な記録用紙カセット（図示省略）が着脱自在に取り付けられる。この記録用紙カセットに収納された記録用紙は、上記紙送り機構によってハウジング２の内部へ搬送され、この搬送された記録用紙は、プリンタ（図２に符号４９で示す）によって記録が行われる。この記録された記録用紙は、トレイ６ａの下方に設けられた記録用紙排出部８から排出される。
また、ハウジング２の右側面下部には、この通信装置１の電源をＯＮ、ＯＦＦするための電源スイッチ９が設けられており、ハウジング２の前面右下部には、映像信号を入力するための映像入力端子１０が設けられている。
さらに、ハウジング２の左側面には、送信先と通話などを行うための受話器（図２に符号１１で示す）が設けられており、ハウジング２の背面には、電話回線（図２に符号６１で示す）が接続されている。
【００２８】
次に、通信装置１の主な電気的構成について、それを示す図２を参照して説明する。
通信装置１には、通信ユニットＴＵおよびプリンタユニットＰＵが備えられており、両ユニットは、インターフェース４２によって相互接続されている。
通信ユニットＴＵには、相手ファクシミリ装置６３および相手電話機６４と電話交換機６２を介して行う通信の制御、送信濃度の設定などの各種機能の制御、受話器１１の受話音量の制御、スピーカ２３から出力される呼出音や通話音声の音量の制御、ＰＣ（Ｐｅｒｓｏｎａｌ  Ｃｏｍｐｕｔｅｒ）８１とＰＣ用インターフェース３９を介して行う各種データの入出力制御などを実行するＣＰＵ３０が備えられている。
【００２９】
ＣＰＵ３０は、通信制御回路４１に接続されており、通信制御回路４１には、ＣＰＵ３０が上記各種制御を行うための制御プログラム３１ａが記憶されたＲＯＭ３１と、このＲＯＭ３１から読出された制御プログラム、イメージスキャナ３７によって読取られた画像情報などを一時的に記憶するＲＡＭ３２と、相手ファクシミリ装置６３のＦＡＸ番号および相手電話機６４の電話番号などを書換可能に記憶するＥＥＰＲＯＭ３３と、ＮＣＵ（Ｎｅｔｗｏｒｋ  Ｃｏｎｔｒｏｌ  Ｕｎｉｔ）３４と、通信モデム６０とが接続されている。
また、通信制御回路４１には、イメージスキャナ３７によって読取られた画像情報を圧縮されたデータに変換するために符号化する符号器３５と、受信された画像情報の符号化されたデータを復号化する復号器３６と、操作パネル３と、スピーカ２３と、液晶表示部７と、原稿がセットされたことを検出する本発明の被記録媒体検出手段たる原稿センサ４０とが接続されている。
【００３０】
プリンタユニットＰＵには、プリンタ４９を制御するプリンタ制御回路４３が備えられており、このプリンタ制御回路４３には、プリンタ４９を制御するプログラムを実行するＣＰＵ４４が接続されている。また、プリンタ制御回路４３には、ＣＰＵ４４により実行されるプログラムなどが記憶されたＲＯＭ４５と、ＣＰＵ４４の実行時に使用されるワークメモリや印刷用データを記憶するプリントメモリなどを有するＲＡＭ４６と、ＰＣ８１が接続されるＰＣ用インターフェース４７と、印刷用の文字などのベクトルフォントが記憶されたキャラクタジェネレータ（ＣＧ）４８とが接続されている。
【００３１】
次に、本実施形態の通信装置１の特徴である、送信濃度の設定などの各種機能の設定のためにＣＰＵ３０が実行する制御（以下、機能設定制御と称する）の内容について、図３ないし図９を参照して説明する。
図３は、図２に示していない構成を示す説明図であり、図３（Ａ）は、送信濃度を設定するための回路構成を示す説明図であり、図３（Ｂ）は、呼出音量およびスピーカ音量を調節するための回路構成を示す説明図であり、図３（Ｃ）は、受話音量を調節するための回路構成を示す説明図である。
【００３２】
図４（Ａ）は、液晶表示部７に表示された送信濃度設定画面を示す説明図であり、図４（Ｂ）は、液晶表示部７に表示された呼出音量設定画面を示す説明図であり、図４（Ｃ）は、液晶表示部７に表示された受話音量設定画面を示す説明図であり、図４（Ｄ）は、液晶表示部７に表示されたスピーカ音量設定画面を示す説明図である。
【００３３】
図５は、ＣＰＵ３０が実行する機能設定制御の内容を示すフローチャートであり、図６は、ＣＰＵ３０が図５のステップ３００で実行する送信濃度設定処理を示すフローチャートであり、図７は、ＣＰＵ３０がステップ４００で実行する呼出音量設定処理を示すフローチャートであり、図８は、ＣＰＵ３０が図５のステップ６００で実行する受話音量設定処理を示すフローチャートであり、図９は、ＣＰＵ３０がステップ７００で実行するスピーカ音量設定処理を示すフローチャートである。
【００３４】
最初に、液晶表示部７の構成について図４を参照して説明する。
液晶表示部７には、液晶表示画面７１ａと、設定する機能を選択するためのファンクション切替ボタン７２と、送信濃度をうすくする設定するための送信濃度ダウンボタン７１ｃと、送信濃度を濃く設定するための送信濃度アップボタン７１ｄとが設けられている。送信濃度ダウンボタン７１ｃおよび送信濃度アップボタン７１ｄは、呼出音量、受話音量およびスピーカ音量の各機能の設定を行うボタンと兼用になっている。また、液晶表示画面７１ａは、送信濃度、呼出音量、受話音量およびスピーカ音量の設定状態の表示をそれぞれ行い、設定状態をカーソルの数で表示する。
【００３５】
次に、ＣＰＵ３０が実行する機能設定制御の内容について図５を参照して説明する。
ＣＰＵ３０は、電話回線６１が閉結しているか否かを判定する（ステップ１００）。つまり、通信装置１が相手ファクシミリ装置６３、または、相手電話機６４と通信を行っているか否かを判定する。
そして、ＣＰＵ３０は、電話回線６１が閉結していないと判定すると（ステップ１００：Ｎｏ）、ファクシミリ送信用の送信原稿が原稿セット部５にセットされているか否かを原稿センサ４０から出力される検出信号に基づいて判定する（ステップ２００）。続いて、ＣＰＵ３０は、送信原稿があると判定すると（ステップ２００：Ｙｅｓ）、送信濃度設定処理を実行する（ステップ３００）。
つまり、ファクシミリ送信を行おうとしている使用者が、機能の切替操作を行うことなく、すぐに送信濃度の設定をできる状態にする。
【００３６】
ここで、送信濃度設定処理について図６を参照して説明する。
ＣＰＵ３０は、図４（Ａ）に示すように、液晶表示部７の液晶表示画面７１ａに送信濃度設定画面７１ｂを表示する（ステップ３０２）。送信濃度設定画面７１ｂは、送信濃度をカーソルの数で示す構成になっている。
そして、ＣＰＵ３０は、ファンクション切替ボタン７２が押されていないと判定すると（ステップ３０４：Ｎｏ）、送信濃度ダウンボタン７１ｃおよび送信濃度アップボタン７１ｄのいずれかの送信濃度設定ボタンが押されてＯＮしたか否かを判定する（ステップ３０６）。続いて、ＣＰＵ３０は、押されたボタンは、送信濃度ダウンボタン７１ｃおよび送信濃度アップボタン７１ｄのいずれであるかを判定し（ステップ３０８）、送信濃度ダウンボタン７１ｃである場合は、イメージスキャナ３７が画像情報を読取る際の白黒判定のしきい値を白くなる方へ下げる処理を行う（ステップ３１０）。
【００３７】
上記ステップ３１０で行う処理では、図３（Ａ）に示すように、白黒のしきい値を白くなる方へ下げることを指示する、しきい値変更信号がＣＰＵ３０から送信濃度設定回路２０へ出力され、送信濃度設定回路２０は、自身に内蔵している、あるいは、イメージスキャナ３７に備えられている、しきい値設定メモリ（図示省略）に設定されている、しきい値データを白くなる方に書換える。
また、ＣＰＵ３０は、ステップ３０８において、送信濃度アップボタン７１ｄであると判定した場合は、イメージスキャナ３７が読取る画像情報の白黒のしきい値を黒くなる方へ上げる処理を行う（ステップ３１２）。
なお、ＣＰＵ３０は、ステップ３０４において、ファンクション切替ボタン７２がＯＮしたと判定した場合は、その切替に対応する他の設定処理へスキップする（ステップ３１４）。
【００３８】
以上のように、ＣＰＵ３０が実行する機能設定制御によれば、送信原稿が原稿セット部５にセットされている場合は、読取濃度を設定する画面が自動的に表示されるため、原稿をファクシミリ送信しようとしている者は、画面を切替える操作を行う手間なく、即座に読取濃度の設定を行うことができるため非常に便利である。
【００３９】
また、ＣＰＵ３０は、ステップ２００において、送信原稿がないと判定すると（ステップ２００：Ｎｏ）、呼出音量設定処理を実行する（ステップ４００）。
つまり、相手からの通信を待機している場合において、相手からの発呼があった場合の呼出音の音量を設定できる状態にする。
ここで、呼出音量設定処理について図７を参照して説明する。
ＣＰＵ３０は、図４（Ｂ）に示すように、液晶表示部７の液晶表示画面７１ａに呼出音量設定画面７２ｂを表示する（ステップ４０２）。呼出音量設定画面７２ｂは、呼出音量をカーソルの数で示す構成になっている。
つまり、呼出音量設定画面７２ｂは、送信濃度設定画面７１ｂと兼用になっている。また、呼出音量の設定ボタンは、送信濃度の設定ボタンと兼用になっており、送信濃度ダウンボタン７１ｃを用いて呼出音量を小さく設定し、送信濃度アップボタン７１ｄを用いて呼出音量を大きく設定する。
【００４０】
そして、ＣＰＵ３０は、ファンクション切替ボタン７２が押されていないと判定すると（ステップ４０４：Ｎｏ）、送信濃度ダウンボタン（呼出音量ダウンボタン）７１ｃおよび送信濃度アップボタン（呼出音量アップボタン）７１ｄのいずれかの設定ボタンが押されてＯＮしたか否かを判定する（ステップ４０６）。続いて、ＣＰＵ３０は、押されたボタンが送信濃度ダウンボタン（呼出音量ダウンボタン）７１ｃである場合は、スピーカ２３から出力される呼出音量の設定値を呼出音量が小さくなる方へ下げる処理を行う（ステップ４１０）。
【００４１】
上記ステップ４１０では、図３（Ｂ）に示すように、呼出音量の設定値を呼出音量が小さくなる方へ下げることを指示する、呼出音量変更信号がＣＰＵ３０から呼出音量調節回路２１へ出力され、呼出音量調節回路２１は、入力される呼出信号の信号レベルを下げて呼出音再生回路２２へ出力する。これにより、呼出音再生回路２２からスピーカ２３へ出力される呼出音信号のレベルが下がり、スピーカ２３から出力される呼出音の音量が小さくなる。
また、ＣＰＵ３０は、ステップ４０８において、送信濃度アップボタン（呼出音量アップボタン）７１ｄであると判定した場合は、スピーカ２３から出力される呼出音量の設定値を呼出音量が大きくなる方へ上げる処理を行う（ステップ４１２）。
なお、ＣＰＵ３０は、ステップ４０４において、ファンクション切替ボタン７２がＯＮしたと判定した場合は、その切替に対応する他の設定処理へスキップする（ステップ４１４）。
【００４２】
以上のように、ＣＰＵ３０が実行する機能設定制御によれば、通信装置１が相手からの通信を待機している状態にある場合は、相手から発呼のあった際の呼出音の音量を設定できる状態に自動的になるため、機能の設定を替える操作を行う手間なく、即座に呼出音量の設定を行うことができるため非常に便利である。
【００４３】
また、ＣＰＵ３０は、ステップ１００において、電話回線６１が閉結していると判定すると（ステップ１００：Ｙｅｓ）、受話器１１がオンフック状態にあるか否かを判定し（ステップ５００）、受話器１１がオンフック状態にないと判定した場合は（ステップ５００：Ｎｏ）、受話音量を設定する処理を行う（ステップ６００）。
つまり、電話回線６１が閉結しており、かつ、受話器１１がオンフックしていない状態は、受話器を用いて通話している状態であることから、そのような状態にある場合は、受話器１１の受話音量を設定できるようにする。
【００４４】
ここで、受話音量設定処理について図８を参照して説明する。
ＣＰＵ３０は、図４（Ｃ）に示すように、液晶表示部７の液晶表示画面７１ａに受話音量設定画面７３ｂを表示する（ステップ６０２）。受話音量設定画面７３ｂは、受話音量をカーソルの数で示す構成になっている。
つまり、受話音量設定画面７３ｂは、図４（Ａ）に示す送信濃度設定画面７１ｂおよび図４（Ｂ）に示す呼出音量設定画面７２ｂと兼用になっている。また、受話音量の設定ボタンは、送信濃度の設定ボタンと兼用になっており、送信濃度ダウンボタン７１ｃを用いて受話音量を小さく設定し、送信濃度アップボタン７１ｄを用いて受話音量を大きく設定する。
【００４５】
そして、ＣＰＵ３０は、ファンクション切替ボタン７２が押されていないと判定すると（ステップ６０４：Ｎｏ）、送信濃度ダウンボタン（受話音量ダウンボタン）７１ｃおよび送信濃度アップボタン（受話音量アップボタン）７１ｄのいずれかの設定ボタンが押されてＯＮしたか否かを判定する（ステップ６０６）。続いて、ＣＰＵ３０は、押されたボタンは、送信濃度ダウンボタン（受話音量ダウンボタン）７１ｃおよび送信濃度アップボタン（受話音量アップボタン）７１ｄのいずれであるかを判定し（ステップ６０８）、送信濃度ダウンボタン（受話音量ダウンボタン）７１ｃである場合は、受話器１１の受話音量の設定値を受話音量が小さくなる方へ下げる処理を行う（ステップ６１０）。
【００４６】
上記ステップ６１０では、図３（Ｃ）に示すように、受話音量の設定値を受話音量が小さくなる方へ下げることを指示する、受話音量変更信号がＣＰＵ３０から受話音量調節回路２６へ出力され、受話音量調節回路２６は、入力される受話信号の信号レベルを下げて受話音再生回路２７へ出力する。これにより、受話音再生回路２７から受話器１１へ出力される受話音信号のレベルが下がり、受話器１１から出力される受話音の音量が小さくなる。
また、ＣＰＵ３０は、ステップ６０８において、送信濃度アップボタン（受話音量アップボタン）７１ｄであると判定した場合は、受話器１１の受話音量の設定値を受話音量が大きくなる方へ上げる処理を行う（ステップ６１２）。
なお、ＣＰＵ３０は、ステップ６０４において、ファンクション切替ボタン７２がＯＮしたと判定した場合は、その切替に対応する他の設定処理へスキップする（ステップ６１４）。
【００４７】
以上のように、ＣＰＵ３０が実行する機能設定制御によれば、通信装置１に備えられた受話器１１を用いて通話をしている状態にある場合は、受話器１１の受話音量を設定できる状態に自動的になるため、機能の設定を替える操作を行う手間なく、即座に受話音量の設定を行うことができるため非常に便利である。
【００４８】
また、ＣＰＵ３０は、ステップ５００において、受話器１１がオンフック状態にあると判定した場合は（ステップ５００：Ｙｅｓ）、スピーカ２３から出力される音量を設定する処理を行う（ステップ７００）。
つまり、電話回線６１が閉結しており、かつ、受話器１１がオンフックしている状態は、受話器１１を置いた状態での通話、いわゆるハンドセット通話（ハンズフリー通話）をしている状態であることから、そのような状態にある場合は、スピーカ２３から出力される相手の音声の音量を設定できるようにする。
【００４９】
ここで、スピーカ音量設定処理について図９を参照して説明する。
ＣＰＵ３０は、図４（Ｄ）に示すように、液晶表示部７の液晶表示画面７１ａにスピーカ音量設定画面７４ｂを表示する（ステップ７０２）。スピーカ音量設定画面７４ｂは、スピーカ音量をカーソルの数で示す構成である。
つまり、スピーカ音量設定画面７４ｂは、図４（Ａ）に示す送信濃度設定画面７１ｂ、図４（Ｂ）に示す呼出音量設定画面７２ｂおよび図４（Ｃ）に示す受話音量設定画面７３ｂと兼用になっている。また、スピーカ音量の設定ボタンは、送信濃度の設定ボタンと兼用になっており、送信濃度ダウンボタン７１ｃを用いてスピーカ音量を小さく設定し、送信濃度アップボタン７１ｄを用いてスピーカ音量を大きく設定する。
【００５０】
そして、ＣＰＵ３０は、ファンクション切替ボタン７２が押されていないと判定すると（ステップ７０４：Ｎｏ）、送信濃度ダウンボタン（スピーカ音量ダウンボタン）７１ｃおよび送信濃度アップボタン（スピーカ音量アップボタン）７１ｄのいずれかの設定ボタンが押されてＯＮしたか否かを判定する（ステップ７０６）。続いて、ＣＰＵ３０は、押されたボタンは、送信濃度ダウンボタン（スピーカ音量ダウンボタン）７１ｃおよび送信濃度アップボタン（スピーカ音量アップボタン）７１ｄのいずれであるかを判定し（ステップ７０８）、送信濃度ダウンボタン（スピーカ音量ダウンボタン）７１ｃであると判定した場合は（ステップ７０８：小さい）、スピーカ２３から出力される音声の音量の設定値を音量が小さくなる方へ下げる処理を行う（ステップ７１０）。
【００５１】
上記ステップ７１０では、図３（Ｂ）に示すように、スピーカ音量の設定値を音量が小さくなる方へ下げることを指示する、スピーカ音量変更信号がＣＰＵ３０からスピーカ音量調節回路２４へ出力され、スピーカ音量調節回路２４は、入力される音声信号の信号レベルを下げて音声再生回路２５へ出力する。これにより、音声再生回路２５からスピーカ２３へ出力される音声信号のレベルが下がり、スピーカ２３から出力される音声の音量が小さくなる。
また、ＣＰＵ３０は、ステップ７０８において、送信濃度アップボタン（スピーカ音量アップボタン）７１ｄであると判定した場合は（ステップ７０８：大きい）、スピーカ２３から出力される音声の音量の設定値を音量が大きくなる方へ上げる処理を行う（ステップ７１２）。
なお、ＣＰＵ３０は、ステップ７０４において、ファンクション切替ボタン７２がＯＮしたと判定した場合は、その切替に対応する他の設定処理へスキップする（ステップ７１４）。
【００５２】
以上のように、ＣＰＵ３０が実行する機能設定制御によれば、ハンドセット通話をしている状態にある場合は、スピーカ２３から出力される通話相手の音声の音量を設定できる状態に自動的になるため、機能の設定を替える操作を行う手間なく、即座にスピーカ２３から出力される音声の音量の設定を行うことができるため非常に便利である。
【００５３】
上述のように、本実施形態の通信装置１を使用すれば、ＣＰＵ３０が、通信装置１がどの使用状態にあるかを判定し、液晶表示部７の画面を使用状態に応じた画面に切替えることができ、かつ、各機能の設定に用いる設定画面および設定ボタンは共通であるため、通信装置１の使用者は、多くの操作を覚える必要がなく、現在の使用状態において必要となる設定を即座に行うことができる。
したがって、本実施形態の通信装置１を使用すれば、操作性を向上させることができる。しかも、従来のファクシミリ装置よりもボタンの数を減少させることができるため、製造コストを低減することができる。
【００５４】
なお、上記実施形態では、図５ないし図９に示す機能設定制御を通信装置１に内蔵されたＣＰＵ３０が実行する場合を説明したが、通信装置１に接続されたＰＣ８１（図２）に実行させることもできる。この場合、通信装置１およびＰＣ８１が、本発明の通信装置として機能する。
上記のように、ＰＣ８１に機能設定制御を実行させる場合、その機能設定制御を実行するためのコンピュータプログラムは、ＣＤ−ＲＯＭやＦＤなどの記憶媒体に記憶され、その記憶媒体に記憶されたコンピュータプログラムは、ＰＣ８１に備えられたドライブを用いてインストールされる。
この場合、上記コンピュータプログラムが、請求項７に記載の制御プログラムに対応し、上記ＣＤ−ＲＯＭやＦＤなどの記憶媒体が、請求項７に記載の記憶媒体として機能する。
【００５５】
ところで、呼出音量調節回路２１、呼出音再生回路２２およびスピーカ２３が、請求項４に記載の呼出音再生手段に対応し、スピーカ音量調節回路２４、音声再生回路２５およびスピーカ２３が、音声再生手段に対応する。
また、ＣＰＵ３０により実行される機能設定制御が、本発明の設定手段として機能し、ステップ１００が、回線判定手段として機能し、ステップ１００：Ｙｅｓと判定されてからステップ２００へ進む処理が、第１の移行手段として機能する。さらに、ＣＰＵ３０により実行されるステップ２００が被記録媒体検出手段として機能し、ステップ２００：Ｙｅｓと判定されてからステップ３００へ進む処理が第２の移行手段として機能し、ステップ２００：Ｎｏと判定されてからステップ４００へ進む処理が第３の移行手段として機能する。
また、ＣＰＵ３０により実行されるステップ５００が、本発明のオンフック判定手段として機能し、ステップ５００：Ｎｏと判定されてからステップ６００へ進む処理が第４の移行手段として機能し、ステップ５００：Ｙｅｓと判定されてからステップ７００へ進む処理が第５の移行手段として機能する。
【００５６】
【発明の効果】
以上のように、請求項１ないし請求項６に記載の発明によれば、被記録媒体に記録された画像情報を読取る読取手段によって画像情報を読取る際の読取濃度の設定、および装置の有する他の機能の設定を兼用して行う設定手段を備えるため、画像情報の送信を行う場合に行う読取濃度（送信濃度）の設定と、他の機能の設定を兼用して行うことができる。
したがって、読取濃度（送信濃度）の設定と、他の機能の設定とが兼用になった分、読取濃度の設定のための操作と上記他の機能の設定のための操作を特に区別して覚える必要がなくなるため、操作性を向上させることができる。しかも、兼用になっている分、ボタン類を少なくすることができるため、製造コストを低減することができる。
さらに、上記設定手段には、通信回線閉結手段によって通信回線が閉結されているか否かを判定する回線判定手段と、その回線判定手段による判定結果が、通信回線閉結手段によって通信回線が閉結されているという判定結果である場合は、他の機能を設定する状態に移行する第１の移行手段とを備えるため、すでに通信を開始している場合に、受話音量の設定を行う状態などに移行することにより、通話者の便宜を図ることができる。
【００５７】
特に、請求項２に記載の発明によれば、読取濃度の設定内容の表示、および他の機能の設定内容の表示を兼用して行う表示手段を備えるため、読取濃度（送信濃度）の設定と、他の機能の設定とが兼用になった分、読取濃度の設定のための表示から上記他の機能の設定のための表示に切替える手間を省くことができる。しかも、兼用になっている分、ボタン類を少なくすることができるため、製造コストを低減することができる。
【００５８】
また、請求項３に記載の発明によれば、上記設定手段は、読取濃度の設定内容の表示、および上記他の機能の設定内容の表示を兼用して行い、かつ、その表示部分が、読取濃度の設定および他の機能の設定内容の変更を兼用して行うように構成されていることから、同じ表示部分を用いて読取濃度の設定および他の機能の設定を行うことができるため、装置の機能の設定を行う場合の操作性をより一層向上させることができる。しかも、兼用になっている分、ボタン類を少なくすることができるため、製造コストを低減することができる。
【００５９】
【００６０】
特に、請求項４に記載の発明によれば、上記設定手段により設定される他の機能は、呼出音量調節機能、受話音量調節機能およびスピーカ音量調節機能のうちの少なくとも１つの機能であるため、読取濃度を設定する場合の操作および表示を用いて上記他の機能を設定することができるため、各機能を設定する場合の手間を大きく省くことができる。
【００６１】
また、請求項５に記載の発明によれば、上記設定手段には、上記回線判定手段による判定結果が、上記通信回線閉結手段によって通信回線が閉結されていないという判定結果である場合に、被記録媒体が読取手段によって読取可能な位置にあるか否かを検出する被記録媒体検出手段と、その被記録媒体検出手段によって被記録媒体が検出された場合は、読取濃度を設定可能な状態に移行する第２の移行手段を備えるため、被記録媒体に記録された画像情報の送信を行おうとしている場合に、上記第２の移行手段によって、読取濃度を設定可能な状態に自動的に移行できるため、画像情報の送信を行おうとしている者は、機能の設定を切替える操作を行う手間なく、即座に読取濃度の設定を行うことができるため非常に便利である。
しかも、上記設定手段には、上記被記録媒体検出手段によって被記録媒体が検出されなかった場合は、呼出音量調節機能の設定内容を変更可能な状態に移行する第３の移行手段を備えるため、相手から通信のあるのを待機している状態にある場合は、上記第３の移行手段によって、呼出音量調節機能の設定内容を変更可能な状態に移行できるため、機能の設定を替える操作を行う手間なく、即座に呼出音量の設定を行うことができるため非常に便利である。
【００６２】
さらに、請求項６に記載の発明では、上前記設定手段には、上記回線判定手段による判定結果が、上記通信回線閉結手段によって通信回線が閉結されているという判定結果である場合に、受話器をオンフックした状態になっているか否かを判定するオンフック判定手段と、そのオンフック判定手段による判定結果が、受話器をオンフックした状態になっているという判定結果である場合は、スピーカ音量調節機能の設定内容を変更可能な状態に移行する第４の移行手段を備えるため、いわゆるハンズフリーの状態での通話を行っている場合は、上記第４の移行手段によって、スピーカ音量調節機能の設定内容を変更可能な状態に移行することができるため、通話者は、機能の設定を替える操作を行う手間なく、即座にスピーカの音量の設定を行うことができるため非常に便利である。
しかも、上記設定手段には、上記オンフック判定手段による判定結果が、受話器をオンフックした状態になっていないという判定結果である場合は、上記受話音量調節機能の設定内容を変更可能な状態に移行する第５の移行手段を備えるため、受話器を用いた通話状態である場合は、上記第５の移行手段によって、受話音量調節機能の設定内容を変更可能な状態に移行することができるため、通話者は、機能の設定を替える操作を行う手間なく、即座に受話音量の設定を行うことができるため非常に便利である。
【００６３】
そして、請求項７に記載の発明によれば、被記録媒体に記録された画像情報を読取る読取手段によって前記画像情報を読取る際の読取濃度の設定、および装置の有する他の機能の設定を兼用して行うように制御し、前記通信回線閉結手段によって前記通信回線が閉結されているか否かを判定し、その判定結果が、前記通信回線閉結手段によって前記通信回線が閉結されているという判定結果である場合は、前記他の機能を設定する状態に移行するための制御プログラムを含むコンピュータプログラムが格納された記憶媒体という構成であるため、その記憶媒体を通信装置内のＲＯＭとして設け、もしくは、その記憶媒体に格納されているコンピュータプログラムをコンピュータにインストールすることによって請求項１に記載の通信装置を実現することができる。
【図面の簡単な説明】
【図１】  本発明実施形態の通信装置の外観を示す斜視図である。
【図２】  図１に示す通信装置の電気的構成をブロックで示す説明図である。
【図３】  図３は、図２に示していない構成を示す説明図であり、図３（Ａ）は、送信濃度を設定するための回路構成を示す説明図であり、図３（Ｂ）は、呼出音量およびスピーカ音量を調節するための回路構成を示す説明図であり、図３（Ｃ）は、受話音量を調節するための回路構成を示す説明図である。
【図４】  図４（Ａ）は、液晶表示部７に表示された送信濃度設定画面を示す説明図であり、図４（Ｂ）は、液晶表示部７に表示された呼出音量設定画面を示す説明図であり、図４（Ｃ）は、液晶表示部７に表示された受話音量設定画面を示す説明図であり、図４（Ｄ）は、液晶表示部７に表示されたスピーカ音量設定画面を示す説明図である。
【図５】  ＣＰＵ３０が実行する機能設定制御の内容を示すフローチャートである。
【図６】  ＣＰＵ３０が図５のステップ３００で実行する送信濃度設定処理を示すフローチャートである。
【図７】  ＣＰＵ３０がステップ４００で実行する呼出音量設定処理を示すフローチャートである。
【図８】  ＣＰＵ３０が図５のステップ６００で実行する受話音量設定処理を示すフローチャートである。
【図９】  ＣＰＵ３０がステップ７００で実行するスピーカ音量設定処理を示すフローチャートである。
【図１０】  従来のファクシミリ装置に備えられた操作パネルの説明図である。
【符号の説明】
１    通信装置
７    液晶表示部（表示手段）
１１    受話器
２３    スピーカ
３０    ＣＰＵ
３７    イメージスキャナ（読取手段）
６０    通信モデム（送信手段）
６１    電話回線（通信回線）
６３    相手ファクシミリ装置
６４    相手電話機
【図１】
0003760207.tif 000002
【図２】
0003760207.tif 000003
【図３】
0003760207.tif 000004
【図４】
0003760207.tif 000005
【図５】
0003760207.tif 000006
【図６】
0003760207.tif 000007
【図７】
0003760207.tif 000008
【図８】
0003760207.tif 000009
【図９】
0003760207.tif 000010
【図１０】
0003760207.tif 000011